(57)【要約】  本発明は、２つのレンズ（Ｖ）を接続するブリッジ（１３）と、２つのヒンジのない曲げることができるワイヤー製のサイドアーム（１１）とを備える、縁なしタイプの眼鏡に関する。本発明により、各サイドアーム（１１）は、レンズ（Ｖ）の側部に引っ掛けるように設計されたＪ字形状の末端部（１１．４）を備え、末端部は、末端部（１１．４）を所定の位置に保持する柔らかい固定プラグ（１５）が挿入されたレンズ（Ｖ）の貫通穴（２０）を通って延びる長い部分（１１．５）と、後方に延び、外向きに開いた側部ノッチ（２１）を通る回転防止の短い部分（１１．６）とを備え、長い部分と短い部分との間でレンズを固定せず、更に、長い部分（１１．５）と短い部分（１１．６）とを接続しレンズ（Ｖ）の前面に接近して延びる中間部（１１．７）を備える。
2008510194.tif 000002
【特許請求の範囲】
【請求項１】
縁なしタイプの眼鏡であって、
２つのレンズ（Ｖ）を相互に接続するブリッジ（１３）と、
対応するレンズ（Ｖ）のそれぞれの側部に接続された２つのサイドアーム（１１）とを備え、
前記サイドアーム（１１）が、撓みに適したヒンジのないワイヤー構造であり、
前記眼鏡が、対応するレンズ（Ｖ）の側部に固定されるように配置された末端部（１１．４）を各サイドアーム（１１）が有することを特徴とし、
前記末端部が略Ｊ字形状であって、アームの主部（１１．２）に延び、前記末端部（１１．４）を所定の位置に保持する柔らかい固定プラグ（１５）が挿入されたレンズ（Ｖ）の貫通穴（２０）を通る長い部分（１１．５）と、後方に延び、外向きに開いた側部ノッチ（２１）を通るか又はレンズの他の貫通穴（２４）を通る回転防止の短い部分（１１．６）とを備え、
前記長い部分と前記短い部分との間でレンズを固定せず、
前記長い部分（１１．５）と前記短い部分（１１．６）とを相互に接続する中間部（１１．７）が、レンズ（Ｖ）の前面に接近して延びる、
縁なしタイプの眼鏡。
【請求項２】
各サイドアーム（１１）が、主部（１１．２）と、末端部の長い部分（１１．５）とを備え、
前記２つの部分が、前記サイドアームをレンズの前面から単に通すだけで所定の位置に取付けられるように、断面と外形において、レンズ（Ｖ）の貫通穴（２０）を通るように形成されていることを特徴とする、請求項１に記載の眼鏡。
【請求項３】
各サイドアーム（１１）が、単一の金属部材によって構成されることを特徴とする、請求項１又は請求項２に記載の眼鏡。
【請求項４】
各サイドアーム（１１）が、相互に嵌め合わされた複数の部材でできていることを特徴とする、請求項１又は請求項２に記載の眼鏡。
【請求項５】
各サイドアーム（１１）のＪ字形状の末端部（１１．４）が、略水平面に延びることを特徴とする、請求項１から４のいずれか１項に記載の眼鏡。
【請求項６】
各サイドアーム（１１）の主部（１１．２）が、前記アームが撓む方向に前記アームの可撓性を増加する平らな中央部を有することを特徴とする、請求項１から５のいずれか１項に記載の眼鏡。
【請求項７】
各サイドアーム（１１）の末端部の長い部分（１１．５）が、前記サイドアームが配置された場合に柔らかい固定プラグ（１５）に繋留する、突き出した歯又はスパイク（１１．８）を備えることを特徴とする、請求項１から６のいずれか１項に記載の眼鏡。
【請求項８】
各サイドアーム（１１）の末端部の長い部分（１１．５）が、鈍角を形成する永久曲げ部（１１．３）を介してアームの主部（１１．２）に接続されることを特徴とする、請求項１から７のいずれか１項に記載の眼鏡。
【請求項９】
各サイドアーム（１１）の末端部の長い部分（１１．５）が、レンズ（Ｖ）の背面から直線状に、レンズの厚さより短くない距離に渡って延びることを特徴とする、請求項１から７のいずれか１項に記載の眼鏡。
【請求項１０】
各柔らかい固定プラグ（１５）が、レンズの対応する穴に挿入される別部品であることを特徴とする、請求項１から９のいずれか１項に記載の眼鏡。
【請求項１１】
各柔らかい固定プラグ（１５）が、その端部の１つにおいて、対応するレンズ（Ｖ）の１つの面に対して当接するカラー（１５．１）を有することを特徴とする、請求項１０に記載の眼鏡。
【請求項１２】
サイドアーム（１１）が所定の位置に配置された場合に、レンズの対応する穴にプラスチック材料を鋳込むか又は注入することによって、各柔らかい固定プラグ（１５）が所定の位置に形成されることを特徴とする、請求項１から９のいずれか１項に記載の眼鏡。
【請求項１３】
各サイドアーム（１１）が、丸い断面で、任意に中央部（１１．２）を垂直方向に平らにし、金属ワイヤー、特にチタンワイヤーでできていることを特徴とする、請求項１から１２のいずれか１項に記載の眼鏡。
【請求項１４】
各サイドアーム（１１）が、プラスチック材料、特にポリアセテート又はポリカーボネートでできていることを特徴とする、請求項１から１２のいずれか１項に記載の眼鏡。
【発明の詳細な説明】
【技術分野】
【０００１】
本発明は、２つのレンズを相互に接続するブリッジと、対応するレンズのそれぞれの側部に接続する２つのサイドアーム（即ち「眼鏡のつる」）とを備える、縁なしタイプの眼鏡の分野に関する。
【背景技術】
【０００２】
縁なし眼鏡、即ち各レンズの厚さを貫通する穴を介して取付がされる眼鏡は、ますます利用が拡大している。
【０００３】
特許文献１、特許文献２、特許文献３、特許文献４、特許文献５、特許文献６、特許文献７、特許文献８、特許文献９、特許文献１０を参照することができる。
【０００４】
以上で引用した構成の大部分では、各レンズは、フレームの構成部材の１つずつに対して、即ちブリッジと２つのサイドアームに対して、貫通穴と外向きに開いた側部ノッチとを備えるか、又は２つの貫通穴を備える。
【０００５】
特許文献１１には、それぞれのＳ字形状部分を介してレンズの側部に固定されるヒンジ部材が示されている。各Ｓ字形状部分の自由端部は、貫通穴を通り、その中央ブランチは、外向きに開いた側部ノッチを通る。従って、この端部はループを形成し、中間のレンズ部分を弾力的に固定するように設計され、固定は摩擦抵抗を大きくする部材によって補強され、特に、貫通穴と外向きに開いた側部ノッチにおいて、対応するレンズの表面に噛み込む歯によって補強されている。しかし、この構成は、レンズの表面が歯によってこすられるというレンズの表面の品質上の不具合を生じ、アームの２つの固定部の間で固定されるレンズの領域はしばしば狭く、このレンズの領域を弱くするという欠点がある。
【０００６】
特許文献１２と特許文献１３は、ヒンジを備えた、又はヒンジがなく撓むのに適したアームを有するワイヤーフレームを説明している。これらの各アームは、かぎ形の末端部を有し、アーム端部は、対応するレンズの外向きに開いた側部ノッチに入り、短い固定部は、レンズの穴を通り、これらの２つの部分は、アームを所定の位置に保持するために、穴と外向きに開いた側部ノッチとの間にあるレンズ部分を固定する、固定部を形成する。レンズの固定は、アーム端部に向って勾配をつけた短い部分によって、また、同様に勾配をつけたレンズを貫通する穴の軸によって、更に、任意にノッチに挿入するプラグで、フランジによって固定部の緩みを防止するスペーサーを形成して、特許文献１２の構成で更に補強される。
【０００７】
また、サイドアームがヒンジなしで撓むのに適した、縁なしタイプの眼鏡の製造も提案された。この目的のためには、特定の金属合金の形状記憶能力を有利に利用する成形技術が使用される。このヒンジのない撓むアームを固定するためには、例えば特許文献１４及び特許文献１５に説明されているような、穴に合う鋲が利用されるのが普通である。
【０００８】
多くの場合、サイドアームの固定端部は、複雑な形状で、多数の曲がり部を備え、製造コストが高い。更に、直線状でまだ曲げられていないアームの端部をガラスを貫通する穴に通した後、前述の曲がり部を所定の位置に形成することが時々必要になり、作業者に特に扱いにくい。
【０００９】
【特許文献１】ＷＯ  ２００４／００３６３２Ａ
【特許文献２】ＷＯ  ０２／２１１９３Ａ
【特許文献３】ＥＰ  １１０７０４２Ａ
【特許文献４】ＷＯ  ９６／０５５３５Ａ
【特許文献５】ＵＳ  ６４４７１１７Ａ
【特許文献６】ＷＯ  ００／２６７１６Ａ
【特許文献７】ＥＰ  １３８２９８８Ａ
【特許文献８】ＷＯ  ０３／０１４８０４Ａ
【特許文献９】ＷＯ  ０２／０９５４８２Ａ
【特許文献１０】ＷＯ  ０２／０９５４８１Ａ
【特許文献１１】ＵＳ  ５８３５１８３Ａ
【特許文献１２】ＪＰ  ２００２／３１８３７２Ａ
【特許文献１３】ＥＰ  ０８１４３５９Ａ
【特許文献１４】ＷＯ  ０３／０８３５５３Ａ
【特許文献１５】ＵＳ  ５３６７３４４Ａ
【発明の開示】
【発明が解決しようとする課題】
【００１０】
本発明の課題は、構造が簡単で、組立が容易であるという両者によって、より高い性能を発揮する縁なしタイプの眼鏡を提供することである。
【課題を解決するための手段】
【００１１】
この課題は、本発明により、２つのレンズを相互に接続するブリッジと、対応するレンズのそれぞれの側部に接続された２つのサイドアームとを備え、このサイドアームが、撓みに適したヒンジのないワイヤー構造であり、前述の眼鏡が、対応するレンズの側部に固定されるように配置された末端部を各サイドアームが有することを特徴とし、この末端部が略Ｊ字形状であって、アームの主部に延び、末端部を所定の位置に保持する柔らかい固定プラグが挿入されたレンズの貫通穴を通る長い部分と、後方に延び、外向きに開いた側部ノッチを通るか又はレンズの他の貫通穴を通る回転防止の短い部分とを備え、長い部分と短い部分との間でレンズを固定せず、長い部分と短い部分とを相互に接続する中間部がレンズの前面に接近して延びる、縁なしタイプの眼鏡によって解決される。
【００１２】
各サイドアームは、主部と、末端部の長い部分とを備え、これら２つの部分が、サイドアームをレンズの前面から単に通すだけで所定の位置に取付けられるように、断面と外形において、レンズの貫通穴を通るように形成される。従って、サイドアームを所定の位置に取付けることは、かなり容易で、何も工具を使用せずに行なうことができる。サイドアームとレンズの間の接続はまた、非常に信頼性が高く、Ｊ字形状の末端部で長い部分と短い部分との間でレンズを固定せずに、柔らかいプラグで固定を維持する。
【００１３】
各サイドアームを単一の金属部材で構成することができ、或は、互いに嵌め合わされた複数の部材で作ることもできる。
【００１４】
各サイドアームのＪ字形状の末端部は、略水平面に延びると有利である。
【００１５】
各サイドアームの主部は、このアームが撓む方向にアームの可撓性を増加する平らな中央部を有することが好ましい。
【００１６】
各サイドアームの末端部の長い部分は、サイドアームが配置された場合に柔らかい固定プラグに繋留する、突き出した歯又はスパイクを備えることが可能である。
【００１７】
各サイドアームの末端部の長い部分は、鈍角を形成する永久曲げ部を介してアームの主部に接続されると有利である。
【００１８】
各サイドアームの末端部の長い部分は、レンズの背面から直線状に、レンズの厚さより短くない距離に渡って延びるようにすることもまた可能である。この構成は、サイドアームを対応するレンズから取外す目的で分解することを可能にする。
【００１９】
各柔らかい固定プラグは、レンズの対応する穴に挿入される別部品であると有利である。特に、各柔らかい固定プラグは、その端部の１つにおいて、対応するレンズの１つの面に対して当接するカラーを有する。この構成は、サイドアームが取付けられている間に、柔らかいプラグが抜けずに正確に位置決めされることを可能にする。
【００２０】
或は、サイドアームが所定の位置に配置された場合に、レンズの対応する穴にプラスチック材料を鋳込むか又は注入することによって、各柔らかい固定プラグを所定の位置に形成することが可能である。
【００２１】
各サイドアームは、丸い断面で、任意に中央部を垂直方向に平らにし、金属ワイヤー、特にチタンワイヤーで作ることが好ましい。
【００２２】
或は、各サイドアームを、プラスチック材料、特にポリアセテート又はポリカーボネートで作ることが可能である。
【００２３】
本発明の他の特徴及び利点が、好ましい実施例を示す添付図を参照した以下の説明からより明確になる。
【発明を実施するための最良の形態】
【００２４】
図１と図２に示すように、本発明は、縁なしタイプの眼鏡に関する。この眼鏡は、２つのレンズＶと、ワイヤータイプのフレーム１０とを備える。フレーム１０は、２つのレンズＶを接続するブリッジ１３と、対応するレンズＶの各領域に接続される２つのサイドアーム１１とを備える。
【００２５】
サイドアーム１１は、ワイヤー構造であるだけでなく、ヒンジが無くかつ撓みに適している。この構成は図２に明確に示され、各サイドアームが、垂直軸ヒンジ部品が無く、１つの部材で連続して形成されていることを見ることができる。
【００２６】
この実施例では、サイドアーム１１の端部１１．１は、スリーブ、或は、ボール等とすることができる各カバー部材１２で覆われている。
【００２７】
従って、各サイドアーム１１は、この実施例ではスリーブ１２で覆われた端部１１．１の次に、わずかにカーブしている主部１１．２に続き、鈍角を形成する永久曲げ部１１．３に延びる。この曲げ部１１．３の次には、対応するレンズＶの側部に固定されるように配置された末端部１１．４がある。
【００２８】
この末端部１１．４は、（アームの見方によって上から又は下から見て）略Ｊ字形状であり、長い部分１１．５と短い部分１１．６とを備え、これら２つの部分が中間部１１．７で接続されている。
【００２９】
本発明の特徴により、アームの主部１１．２が延びた長い部分１１．５は、末端部１１．４を所定の位置に保持する柔らかい固定プラグ１５が挿入されたレンズＶの貫通穴２０を通り、後ろ向きに延びる回転防止の短い部分１１．６が、図３及び図４の詳細図に明確に示すように外向きに開いた側部ノッチ２１を通るか、或は、図５及び図６に示すように、他の貫通穴２４を通り、長い部分１１．５と短い部分１１．６の間、即ちレンズＶの前面に接近して延びる中間部１１．７を固定しない。
【００３０】
ブリッジ１３はまた、従来設計のワイヤー構造で、湾曲した主部１３．１と、２つの側端固定部１３．４とを備え、それらはそれぞれ対応するレンズの各穴２２及び各外向きに開いた側部ノッチ２３と協働して両方のレンズにブリッジを結合する。従って、ブリッジの固定部分１３．４は、各々が対応するレンズの領域を単に弾性によって固定しているだけなので、サイドアームの固定部とは異なる。サイドアームを保持するために使用されるプラグ１５に類似した柔らかい固定プラグを、貫通穴２２を通るブリッジの各端部に挿入することもまた可能である。異なった構造を有するブリッジ、特に、ノーズパッドを担持するように配置された構造を有するブリッジを備えることもまた可能である。
【００３１】
図２を参照すると、長い部分１１．５が短い部分１１．６より更にレンズの内側に向き、長い部分１１．５が前記レンズの貫通穴２０を通ることがわかる。この配置は、末端固定部がかぎ形である上述の従来の配置には従っておらず、従来の配置は開いたノッチを通るアーム端部と、レンズの穴を通る固定用の短い部分とを常に有し、この２つの部分は共にレンズの関連部分に固定される固定具を形成する。従って、アームを動かす場合、特にアームが撓むのに適したヒンジのないワイヤーアームである限り、アームがレンズに繋留される場所に無視できない力が加わる。本発明の配置によれば、貫通穴を通る係合は、各外向きに開いた側部ノッチに係合する従来技術では得られない、極めて好ましい横方向の当接効果を与える。
【００３２】
図３及び図４は、本発明の配置を理解し易くするものである。
【００３３】
この実施例では、各サイドアーム１１のＪ字形状の末端部１１．４が略水平面に延びることを見ることができる。この構成は、アームが撓む場合に、アームの望ましくないねじれを防止することを可能にする。
【００３４】
更に、各サイドアーム１１の末端部の長い部分１１．５は、鈍角を形成する永久曲げ部１１．３を介してアームの主部１１．２に接続されている。更に、前記長い部分１１．５は、図４に更に明確に示すように、レンズＶの背部から延び、レンズの厚さより短くない長さで直線状に延びる。この構成は、後でサイドアームを取外すために係合を解くことを可能にする。
【００３５】
この実施例では、柔らかい固定プラグ１５が、対応するレンズＶの１つの面に当接するカラー１５．１をその１端部に備えることもまた見ることができる。実際には、以下で図１０を参照して説明するように、各サイドアーム１１は、レンズの前面からサイドアームを通すことによって取付けられているだけであり、カラー１５．１がレンズの前面に当接するように、柔らかいプラグ１５を配置するのが好ましい。この構成は、サイドアームが穴を通される時に、柔らかい固定プラグ１５が抜けないことを確実にすることができる。
【００３６】
この実施例では、柔らかい固定プラグ１５は、ガラスの対応する穴に挿入される別の部品である。或は、まず関連するサイドアーム１１を所定の位置に配置して、プラスチック材料、例えばシリコーンを、レンズの対応する穴に鋳込むか又は注入することによって、柔らかい固定プラグ１５を所定の位置に形成することが可能である。
【００３７】
図４に示すように、短い部分１１．６は、この実施例では外向きに開いた側部ノッチ２１に受容されるが、従来技術の配置でよく行われていたような固定具を形成して、レンズの関連する部分に対して押付けることがない。その代わり、短い部分１１．６は、単に回り止め機能を発揮するだけで、一方、アームを所定の位置に保持する機能は、柔らかい固定プラグ１５に固定された長い部分１１．５によってもっぱら発揮される。
【００３８】
図５及び図６は別の実施例を示し、前述の図面に示されたような外向きに開いた側部ノッチを通る代わりに、短く後ろ向きに延びる回り止め部分１１．６が、レンズの他の貫通穴２４を通る。その他の点では、形状は、前述の図を参照して説明した形状と同一である。
【００３９】
或は、長い部分を同様に穴の中に通すようにし、従来技術の配置のように外向きに開いた側部ノッチに配置しなければ、Ｊ字形状部分を反対方向に向けることが可能である。さもなければ、上述の当接効果は失われてしまう。
【００４０】
図７に示すように、各サイドアーム１１の末端部の長い部分１１．５を、サイドアームが所定の位置にある場合に柔らかい固定プラグ１５に繋留する、突き出した歯又はスパイク１１．８を備えるようにすることが可能である。
【００４１】
本発明の他の重要な特徴は、各サイドアーム１１が、主部１１．２及び末端部の長い部分１１．５を備え、これらの部分が、レンズＶの貫通穴２０を通るように断面と外形が形成されており、単にレンズの前面から通すだけでサイドアームを所定の位置に取付けることができることである。
【００４２】
図８と図９は、サイドアーム１１の形状がより明確に見えるようにしており、端部１１．１がスリーブ等で覆われていないことがわかる。前記サイドアーム１１は、金属ワイヤー、特にチタンワイヤーで作られ、サイドアームが撓む方向に可撓性を増すために、その主部１１．２で断面は丸く、任意に部分的に垂直に平らであることが好ましい。或は、サイドアーム１１は、プラスチック材料、特に、ポリアセテート又はポリカーボネートで作ることができる。
【００４３】
この実施例では、各サイドアーム１１は、１つの部品でできているが、ここには示さない別の実施例では、サイドアームを相互に嵌め合わされた複数の部品で作ることが可能である。同様に、異なった形状例えば平面等の断面を使用し、次に、穴、ノッチ等を断面の形状に適するように形成することが可能である。
【００４４】
図１０は、対応するレンズＶの前面から単に通すだけでサイドアームを手で所定の位置に取付けるプロセスを示す。
【００４５】
図１０では、レンズとサイドアームとの間の様々な関係位置が示されている。
【００４６】
位置Ｉでは、アーム１１の端部１１．１の先端が貫通穴２０に面し、この例では、貫通穴２０には、サイドアームを通す柔らかい固定プラグ１５があらかじめ取付けられる。
【００４７】
位置ＩＩ、ＩＩＩ、ＩＶ、及びＶは、ワイヤーアームの様々な部分が、前記アームの末端固定部１１．４に到達するまでに、柔らかいプラグ１５で内部を覆った貫通穴２０を通る、連続する通過位置に対応する。最終位置ＶＩに到達する移動の最終段階は、短い部分１１．６を、レンズの外向きに開いた側部ノッチ２１に単に直線的に滑らしていくだけである。
【００４８】
従って、サイドアーム１１を、素早く容易に、特別な工具を使用せずに取付けることができることがわかる。
【００４９】
次に、組立を分解したい場合には、このプロセスを反対にすれば十分であり、それによって、レンズは同じままで、サイドアームを交換したり、反対に、サイドアームは同じままで、レンズを交換することが可能である。
【００５０】
上述のように、末端固定部１１．４は、柔らかい固定プラグ１５によって所定の位置に保持されるだけであり、固定プラグ１５は、別部品によって構成されるか、又はレンズの穴に鋳込み又は注入により所定の場所に作られる。例えば、ポリアミド６又はシリコーンのような柔らかい材料を使用することが可能であり、そのような材料はまた、透明にすることもでき、従って見えにくい。
【００５１】
本発明は、上述の実施例に限定されず、上述の特徴を再現する同等の方法を使用する変形を全て含むものである。
【図面の簡単な説明】
【００５２】
【図１】本発明の縁なしタイプの眼鏡の斜視図である。
【図２】上述の眼鏡の平面図で、サイドアームの固定端部を断面で示した図である。
【図３】サイドアームが固定されている固定領域をより明確に示す、拡大した部分斜視図である。
【図４】図３のＩＶ−ＩＶの断面図である。
【図５】回転防止の短い部分がレンズの他の貫通穴を通る、他の実施例を示す斜視図である。
【図６】図５のＶＩ−ＶＩの断面図である。
【図７】柔らかい固定プラグに繋留する突き出した歯を有するサイドアームの末端部の部分図である。
【図８】端部がスリーブやボール等のカバー部材を着けていないサイドアームの平面図であり、サイドアームの最初の取付けに対応する状態の図である。
【図９】端部がスリーブやボール等のカバー部材を着けていないサイドアームの側面図であり、サイドアームの最初の取付けに対応する状態の図である。
【図１０】サイドアームがレンズの前面から通されている時の、上述のサイドアームと対応するレンズとの間の様々な関係位置を示す説明図である。
【図１】
2008510194.tif 000003
【図２】
2008510194.tif 000004
【図３】
2008510194.tif 000005
【図４】
2008510194.tif 000006
【図５】
2008510194.tif 000007
【図６】
2008510194.tif 000008
【図７】
2008510194.tif 000009
【図８】
2008510194.tif 000010
【図９】
2008510194.tif 000011
【図１０】
2008510194.tif 000012
【国際調査報告】
2008510194.tif 000013
2008510194.tif 000014
2008510194.tif 000015
2008510194.tif 000016
2008510194.tif 000017
2008510194.tif 000018